(57)【要約】【課題】低コストでありながら効果的にワーニングを注意喚起できる車両用表示装置を提供する。【解決手段】文字板上に形成されたワーニング意匠１１に近接した領域がアニメーション表示領域として割り当てられ、このアニメーション表示領域に異なる偏光方向の偏光軸をそれぞれ有する複数の偏光領域１２ａ、１２ｂ、１２ｃが形成されている。これら偏光領域１２ａ、１２ｂ、１２ｃの背面側においては、偏光領域と重なりつつ回転可能に偏光板３が配置されており、ワーニング意匠１１の点灯に同期してこの偏光板３が回転される。そうすると、ワーニング意匠１１が点灯すると同時に偏光板３が回転することによって、ワーニング意匠１１に近接したアニメーション表示領域の透過率が循環的に変化する。すなわち、点灯したワーニング意匠１１に近接した領域に、高価な液晶パネルを用いることなくアニメーションが表現できる。【選択図】図７
2007051937.tif 000002
【特許請求の範囲】
【請求項１】
対象となるワーニング意匠が形成されると共に該ワーニング意匠に近接した領域を動きを表示するためのアニメーション表示領域として割り当てた文字板と、
前記アニメーション表示領域に対応するようにして形成した、異なる偏光方向の偏光軸をそれぞれ有する複数の偏光領域と、
前記複数の偏光領域の背面側において該偏光領域と重なりつつ回転可能に配置された偏光板と、
前記ワーニング意匠の点灯に同期して、前記偏光板を回転させる偏光板制御手段と、
を含むことを特徴とする車両用表示装置。
【請求項２】
請求項１記載の車両用表示装置において、
前記アニメーション表示領域は光の透過領域となっており、
前記複数の偏光領域は、偏光方向の異なる複数の偏光板が該偏光領域に対応するようにカットされて形成されているか、或いは、一枚のフィルムに印刷形成されており、該偏光領域が前記透過領域に重なり合うように、該偏光板又はフィルムが前記文字板の背面側に重着されている、
ことを特徴とする車両用表示装置。
【発明の詳細な説明】
【技術分野】
【０００１】
本発明は、車両用表示装置に関し、特に、低コストでありながら効果的にワーニングを注意喚起できる車両用表示装置に関する。
【背景技術】
【０００２】
近年、速度計やエンジン回転計、燃料残量計、水温計等のメータ部と、オイル漏れやバッテリ異常、ブレーキ異常、シートベルトリマインダ等の各種ワーニング表示部とが組み合わされた、コンビネーションメータとよばれる車両用表示装置が普及している。図８は、この種の車両用表示装置の外観を示す正面図である。
【０００３】
図８に示すように、正面からみると、この種の車両用表示装置は、速度計やエンジン回転計、燃料残量計、水温計等のメータ部Ｍ、及び、オイル漏れやバッテリ異常、ブレーキ異常、水温異常等を喚起するワーニング部Ｗを備えているのがわかる。メータ部Ｍは、周知のように、図示しないモータに回転される指針によって、文字板に形成された各計測値に対応する意匠が指示される。メータ部Ｍは、装飾用のリング部材８を備えたものもある。ワーニング部Ｗは、文字板に上記水温異常等のワーニング意匠を形成しておいて異常時に発光ダイオードでそれを点灯させるタイプや、上記水温異常等を液晶パネルで表示するものもある。なお、車両用表示装置には、表ガラス、見返し、ケース、電子部品、裏カバー等も含まれるが、ここでは省略している。
【０００４】
図９は、この種の車両用表示装置におけるワーニング制御に係るハードウエア構成を示すブロック図である。図１０は、従来のワーニング例を示す図である。
【０００５】
図９において、イグニッションスイッチ４０及びバッテリ５０に接続される、マイクロコンピュータを含んで構成される制御部１０は、水温センサをはじめとするセンサ群３０からのセンサ信号を受信可能になっている。そして、センサ群３０からのセンサ信号に基づき異常を検出すると、制御部１０はワーニング駆動部２０を制御してその旨表示させる。ここで、ワーニング駆動部２０は、例えば、図８におけるワーニング部Ｗに対応する液晶パネル、このパネル全体を照明するバックライト、特定の部位のみを強調照明する強指向性の発光ダイオードを含むものとする。
【０００６】
通常、制御部１０は、イグニッションスイッチ４０がオンされているときには、ワーニング駆動部２０に含まれる液晶パネル上に、図１０に示すような現在の水温値やオド／ドリップ値７０を表示させると共にバックライトを点灯させる。そして、例えば、センサ信号に基づき水温異常を検出すると、制御部１０は、液晶パネルに図１０に示すような水温異常を示すワーニング意匠６０を表示させると共に上記発光ダイオードを点灯又は点滅させる。発光ダイオードは、例えば、赤色系の光を発したり点滅したりするため、ワーニング意匠６０が強調表示されて、ワーニングが注意喚起されるようになっている。
【０００７】
なお、上述のような車両用表示装置は、下記特許文献にも記載されている。
【特許文献１】特開２００３−８３７７５号公報
【発明の開示】
【発明が解決しようとする課題】
【０００８】
ところが、上述のようなワーニング意匠を目立つ色にしたり点滅させたりするというような従来のワーニングは、ありきたりになっており注意喚起度が十分ではなくなっている。そこで、動きのあるワーニング意匠を表現できるような高価な液晶パネルを用いることでより強い注意喚起を行うことも考えられるが、この場合にはコスト高になることが予想される。
【０００９】
よって本発明は、上述した現状に鑑み、低コストでありながら効果的にワーニングを注意喚起できる車両用表示装置を提供することを課題としている。
【課題を解決するための手段】
【００１０】
上記課題を解決するためになされた請求項１記載の車両用表示装置は、対象となるワーニング意匠が形成されると共に該ワーニング意匠に近接した領域を動きを表示するためのアニメーション表示領域として割り当てた文字板と、前記アニメーション表示領域に対応するようにして形成した、異なる偏光方向の偏光軸をそれぞれ有する複数の偏光領域と、前記複数の偏光領域の背面側において該偏光領域と重なりつつ回転可能に配置された偏光板と、前記ワーニング意匠の点灯に同期して、前記偏光板を回転させる偏光板制御手段と、を含むことを特徴とする。
【００１１】
請求項１記載の発明によれば、文字板上に形成されたワーニング意匠に近接した領域がアニメーション表示領域として割り当てられ、このアニメーション表示領域に異なる偏光方向の偏光軸をそれぞれ有する複数の偏光領域が形成されている。これら偏光領域の背面側においては、偏光領域と重なりつつ回転可能に偏光板が配置されており、ワーニング意匠の点灯に同期してこの偏光板が回転される。そうすると、ワーニング意匠が点灯すると同時に偏光板が回転することによって、ワーニング意匠に近接したアニメーション表示領域の透過率が循環的に変化する。すなわち、点灯したワーニング意匠に近接した領域に、高価な液晶パネルを用いることなく動きが表現できる。
【００１２】
上記課題を解決するためになされた請求項２記載の車両用表示装置は、請求項１記載の車両用表示装置において、前記アニメーション表示領域は光の透過領域となっており、前記複数の偏光領域は、偏光方向の異なる複数の偏光板が該偏光領域に対応するようにカットされて形成されているか、或いは、一枚のフィルムに印刷形成されており、該偏光領域が前記透過領域に重なり合うように、該偏光板又はフィルムが前記文字板の背面側に重着されている、ことを特徴とする。
【００１３】
請求項２記載の発明によれば、偏光領域は、偏光方向の異なる複数の偏光板が該偏光領域に対応するようにカットされて形成されているか、或いは、一枚のフィルムに印刷形成されており、該偏光領域が透過領域に重なり合うように、該偏光板又はフィルムが文字板の背面側に重着されている。
【発明の効果】
【００１４】
請求項１記載の発明によれば、ワーニング意匠が点灯すると同時に偏光板が回転することによって、ワーニング意匠に近接したアニメーション表示領域の透過率が循環的に変化する。すなわち、点灯したワーニング意匠に近接した領域に、高価な液晶パネルを用いることなく動きが表現できる。したがって、低コストでありながら効果的にワーニングを注意喚起できる車両用表示装置を提供することができる。
【００１５】
請求項２記載の発明によれば、偏光領域は、偏光方向の異なる複数の偏光板が該偏光領域に対応するようにカットされて形成されているか、或いは、一枚のフィルムに印刷形成されており、該偏光領域が透過領域に重なり合うように、該偏光板又はフィルムが文字板の背面側に重着されている。したがって、偏光領域の形成が容易であり、且つ、低コストでありながら効果的にワーニングを注意喚起できる車両用表示装置を提供することができる。
【発明を実施するための最良の形態】
【００１６】
以下、本発明の実施の形態を図面に基づいて説明する。図１は、本発明の実施形態の車両用表示装置におけるワーニング部の基本構成を示す断面図である。図２は、図１における文字板上のワーニング意匠の周辺部を示す正面図である。図３は、図１における偏光フィルムを示す正面図である。図４（Ａ）、（Ｂ）及び図５（Ａ）、（Ｂ）は、本発明の車両用表示装置の偏光板制御手段を例示する正面図及び断面図である。
【００１７】
図１に示すように、ワーニング部は、文字板１、偏光フィルム２、偏光板３、モータ４及び光源５を含んで構成される。文字板１の背面側には偏光フィルム２が配置され、偏光フィルム２の背面側には偏光板３が配置されている。偏光フィルム２は、図１に示すように、文字板１の背面側に所定間隔をおいて配置してもよいし、文字板１に重着してもよい。偏光板３は、偏光フィルム２から所定間隔をおいて配置され、モータ４によって回転可能になっている。なお、本明細書中、正面側はドライバの視点側を意味し、背面側はその逆側を意味する。
【００１８】
図２に示すように、文字板１には、ワーニング意匠１１が形成されると共にアニメーション表示領域１２が割り当てられている。ワーニング意匠１１としては、文字板１のベース印刷色とは異なる例えば赤色系でシンボルマークが印刷形成されている。アニメーション表示領域１２は、ワーニング意匠１１を周回するリング状の領域であり、文字板１の背面からの光が透過可能になっている。アニメーション表示領域１２は、例えば、文字板１が透明生地である場合には、この領域を抜く（着色しない）ようにするだけでよい。
【００１９】
図３に示すように、偏光フィルム２は、上記アニメーション表示領域１２に対応するように、異なる偏光方向の偏光軸ＡＸ１２ａ、ＡＸ１２ｂ及びＡＸ１２ｃをそれぞれ有する複数の偏光領域１２ａ、１２ｂ及び１２ｃを有する。偏光領域１２ａ、１２ｂ及び１２ｃは、上記ワーニング意匠１１を周回するようなリング状にそれぞれ形成されており、詳しくは、偏光領域１２ａ、１２ｂ、１２ｃの順にリングの径が大きくなり、それぞれは連接されている。偏光領域１２ｂの偏光軸ＡＸ１２ｂは、例えば、偏光領域１２ａの偏光軸ＡＸ１２ａが４５度半時計回りに回転し、偏光領域１２ｃの偏光軸ＡＸ１２ｃは、偏光領域１２ｂの偏光軸ＡＸ１２ｂが４５度半時計回りに回転したようになっている。
【００２０】
また、偏光板３は、文字板１、偏光フィルム２の背面に、上記偏光領域１２ａ、１２ｂ及び１２ｃと重なりつつ回転可能に配置されている。偏光板３の回転軸は、上記リング状の偏光領域１２ａ、１２ｂ、１２ｃの回転軸と一致している。偏光板３は、一方向の偏光軸を有し、この偏光軸が回転されることになる。
【００２１】
偏光板３は、偏光板制御手段の一部を構成するモータ４にて所定の定速度で回転される。モータ４の回転軸４１には偏光板３側に歯合される駆動ギア４２が連結されている。
【００２２】
図４（Ａ）及び図４（Ｂ）に示すように、例えば、偏光板３の外周にギア部が形成されている場合には、これにモータ４の回転軸４１に連結された駆動ギア４２を歯合させ、偏光板回転軸３１を中心にしてモータ４により偏光板３を回転させる。
【００２３】
また、図５（Ａ）及び図５（Ｂ）に示すように、例えば、偏光板３が円盤状のホルダ３２に保持されており、ホルダ３２の外周にギア部が形成されている場合には、これにモータ４の回転軸４１に連結された駆動ギア４２を歯合させ、偏光板回転軸３１を中心にして偏光板３を回転させる。
【００２４】
図１に戻って、光源５は、発光ダイオードで構成されている。詳しくは、光源５は、ワーニング意匠１１を照明するための光Ｌ１を出射する例えば赤色系の発光ダイオード、及び、アニメーション表示領域１２を照明するための例えば白色系の光Ｌ２を出射する発光ダイオードから構成される。
【００２５】
続いて、図１〜図３に示したような構成のワーニング部を組み込んだ車両用表示装置を図６を用いて例示する。図６は、図１〜図３に示す構成のワーニング部を組み込んだ車両用表示装置の断面図である。なお、図６は、上述の図１の車両用表示装置のＸＸ線断面に対応する。また、ワーニング制御に係るハードウエア構成は図９で示した構成と基本的に同等になるが、ここではワーニング駆動部が光源、偏光板及びモータを含んで構成されることになる。
【００２６】
図６に示すように、メータ部Ｍにおいては、文字板１上に例えば速度に対応した数字、目盛り等の意匠（不図示）が形成されており、これが指針用モータ６に回転される指針７によって指示される。指針用モータ６は、例えば速度センサからの速度信号に応じて回転し、回転軸６１に挿着された指針７を所定角度だけ回転させる。文字板１上には、装飾用のリング部材８も取り付けられている。
【００２７】
指針用モータ６は、基板９２上に搭載されている。基板９２は、文字板１と共にケース９に取り付けられている。基板９２上には、図示しない他の電子部品や速度に対応した数字、目盛り等を照明するための光源５３が搭載されている。このようなメータ部Ｍの構成は、周知であるのでこれ以上の詳細な説明は省略する。
【００２８】
一方、ワーニング部Ｗにおいては、上述したように、文字板１上にワーニング意匠１１が形成されると共にアニメーション表示領域１２が割り当てられている。この文字板１の背面には、上述したような、アニメーション表示領域１２に対応するような複数の偏光領域１２ａ、１２ｂ及び１２ｃが形成された偏光フィルム２が重着されている。ワーニング意匠１１及びアニメーション表示領域１２の境界に対応する部位には、ケース９に一体形成された遮光壁９１が立設されている。
【００２９】
偏光フィルム２の下方には、所定距離はなれて、回転可能な偏光板３が配置されている。偏光板３は、偏光板制御手段としてのモータ４に連結されており、モータ４が駆動すると、その回転軸４１に連結された駆動ギア４２によって回転される。
【００３０】
このような構成において、メータ部Ｍにおいては、周知のように、例えば速度センサからの速度信号に応じて、指針用モータ６が回転し指針７を所定角度だけ回転させる。また、エンジンキーやコンライトスイッチの操作等に連動して、光源５３が点灯して文字板１上の意匠やリング部材８が照明される。
【００３１】
また、ワーニング部Ｗにおいては、センサ群３０（図９参照）からのセンサ信号のひとつとして、例えば水温異常等を示す所定のワーニング信号に応答して、光源５１及び光源５２が点灯する。光源５１からの光Ｌ１は上方に向かって上記ワーニング意匠１１を照明し、光源５２からの光Ｌ２は上方に向かって上記アニメーション表示領域１２を照明する。これら光源５１及び光源５２の点灯に連動して、モータ４によって偏光板３が回転される。そうすると、偏光板３の偏光軸と、アニメーション表示領域１２における複数の偏光領域１２ａ、１２ｂ及び１２ｃの各偏光軸との位置関係が、偏光板３の回転にともなって変化するため、ドライバの視点からは各偏光領域１２ａ、１２ｂ及び１２ｃの透過率が変化して、アニメーション表示領域１２に動きがあるように視認される。
【００３２】
以下にこのアニメーション表示領域１２における動きの様子を、図７を用いて具体的に説明する。図７（Ａ）〜図７（Ｄ）は、アニメーション表示領域における動きの様子を示す正面図である。
【００３３】
図７（Ａ）〜図７（Ｄ）に示すように、偏光領域１２ｂの偏光軸ＡＸ１２ｂは、偏光領域１２ａの偏光軸ＡＸ１２ａが４５度半時計回りに回転し、偏光領域１２ｃの偏光軸ＡＸ１２ｃは、偏光領域１２ｂの偏光軸ＡＸ１２ｂが４５度半時計回りに回転したようになっている。ただし、これら偏光軸ＡＸ１２ａ、ＡＸ１２ｂ及びＡＸ１２ｃは固定されている。一方、偏光板３の偏光軸ＡＸ３は、偏光板３の回転にともなって、図７（Ａ）に示すようにＡＸ１２ａと一致し、図７（Ｂ）に示すようにＡＸ１２ｂと一致し、図７（Ｃ）に示すようにＡＸ１２ｃと一致し、及び、図７（Ｄ）に示すようにＡＸ１２ｂと垂直方向に一致し、再び、図７（Ａ）に示すようにＡＸ１２ａと一致するという具合に、順次循環的に変化していく。
【００３４】
そうすると、図７（Ａ）の状態においては、偏光領域１２ａの偏光軸ＡＸ１２ａと偏光板３の偏光軸ＡＸ３とは平行であるため、この偏光領域１２ａの透過率は最も高くなる。これに対して、偏光領域１２ｃの偏光軸ＡＸ１２ｃと偏光板３の偏光軸ＡＸ３とは垂直であるため、この偏光領域１２ａの透過率は最も低くなる。なお、偏光領域１２ｂの透過率はその中間となる。したがって、図７（Ａ）の状態においては、ドライバの視点からは、アニメーション表示領域１２の最内エリアは最も明るく、外側に向かうにつれて暗くなるように視認される。
【００３５】
図７（Ｂ）〜図７（Ｄ）においても、同様の作用により、偏光板３の偏光軸と、アニメーション表示領域１２における複数の偏光領域１２ａ、１２ｂ及び１２ｃの各偏光軸との位置関係が、偏光板３の回転にともなって変化するため、各偏光領域１２ａ、１２ｂ及び１２ｃの透過率が変化する。なお、図７（Ｄ）の状態の後は、図７（Ａ）の状態に戻る。このような状態変化が循環的に繰り返される。この結果、ドライバの視点からは、偏光板３の回転にともなって、最も透過率の高いリング状の領域が内から外へ移動するように視認される。補足すると、異常時には、偏光板３の背面にある光源５１、５２の点灯により、中央部に例えば赤色系のワーニング意匠６０が照明されると共に、この周りのリング状のエリアにおいて上述のような動きのある表示、すなわち、アニメーション表示が照明される。したがって、非常に効果的にワーニングを注意喚起することができる。
【００３６】
以上説明したように、本発明の実施形態によれば、高価な液晶パネルを用いることなく、点灯したワーニング意匠の周囲のリング状の領域にアニメーションを表現できる。したがって、低コストでありながら効果的にワーニングを注意喚起できる車両用表示装置を提供することができる。また、今までにない斬新なワーニング表現が可能になる。
【００３７】
なお、対象とするワーニング意匠は例示したもの以外であってもよいことはいうまでもない。また、偏光軸の設定、アニメーションパターン、動きの速度（偏光板の回転速度）等は適宜変更可能である。また、アニメーションパターンは、場合によってはリング状でなくてもよい。また、偏光フィルム２は文字板１に重着する替わりに、偏光フィルム２と同様の偏光パターンを文字板１に印刷形成するようにしてもよい。また、偏光フィルム２に替えて、上述のように偏光方向の異なる偏光板を各偏光領域に対応するようにカットして文字板の背面側に貼り付けるようにしてもよい。更に、光源５１、５２の色調も適宜偏光可能であるし、光源５１、５２をひとつの光源にまとめてワーニング意匠とアニメーション表示領域に共用化するようにしてもよい。
【図面の簡単な説明】
【００３８】
【図１】本発明の実施形態の車両用表示装置におけるワーニング部の基本構成を示す断面図である。
【図２】図１における文字板上のワーニング意匠の周辺部を示す正面図である。
【図３】図１における偏光フィルムを示す正面図である。
【図４】図４（Ａ）及び図４（Ｂ）は、本発明の車両用表示装置の偏光板制御手段を例示する正面図及び断面図である。
【図５】図５（Ａ）及び図５（Ｂ）は、本発明の車両用表示装置の偏光板制御手段を例示する正面図及び断面図である。
【図６】図１〜図３に示す構成のワーニング部を組み込んだ車両用表示装置の断面図である。
【図７】図７（Ａ）〜図７（Ｄ）は、アニメーション表示領域における動きの様子を示す正面図である。
【図８】この種の車両用表示装置の外観を示す正面図である。
【図９】この種の車両用表示装置におけるワーニング制御に係るハードウエア構成を示すブロック図である。
【図１０】従来のワーニング例を示す図である。
【符号の説明】
【００３９】
１  文字板
２  偏光フィルム
３  偏光板
１１  ワーニング意匠
１２  アニメーション表示領域
Ｍ  メータ部
Ｗ  ワーニング部
【図１】
2007051937.tif 000003
【図３】
2007051937.tif 000004
【図４】
2007051937.tif 000005
【図５】
2007051937.tif 000006
【図６】
2007051937.tif 000007
【図８】
2007051937.tif 000008
【図９】
2007051937.tif 000009
【図１０】
2007051937.tif 000010
【図２】
2007051937.tif 000011
【図７】
2007051937.tif 000012